(57)【要約】ＵＥシステムは、現在アクティブなタイムスロットおよびコードと、回避すべきタイムスロットを受信器に通知する制御情報を追加または変更する（図３Ｅ）ことにより、動的リンクアダプテーションを実施する。ＵＥは、受信器が、当該ＵＥが符号化コンポジットトランスポートチャネルを物理チャネルにマッピングするのに使用しているタイムスロットとコードを知るような、同期を提供する。ＵＥは、伝送の障害を経験しているタイムスロットを避けることを試み、一方で伝送の問題が生じていないタイムスロットを利用することを試みる。
2004538715.tif 000002
【特許請求の範囲】
【請求項１】
複数の利用可能なタイムスロットから少なくとも１つのタイムスロットと、複数のコードから少なくとも１つのコードとを選択し、利用することにより、時分割多重接続／符号分割多重接続ハイブリッド型の無線フォーマットを使用する通信をサポートするユーザ機器であって、
利用可能な各タイムスロットについて、データを伝送するのに必要とされる電力を計算する手段と、
前記各タイムスロットの前記計算した電力が閾値を超えるかどうかを判断する手段と、
前記利用可能なタイムスロットから前記閾値を超えるタイムスロットを除いて、残るタイムスロットを決定する手段と、
前記残るタイムスロットの識別子を別の通信装置に伝達する手段と、
前記残りのタイムスロットと前記残りのスロット中の前記コードを使用して前記通信をサポートする手段と
を備えたことを特徴とするユーザ機器。
【請求項２】
前記伝達手段はさらに、ミッドアンブルで隔てられ、後にガード期間が続く第１および第２のデータフィールドを含むデータバーストを使用する手段を含むことを特徴とする請求項１に記載のユーザ機器。
【請求項３】
前記識別子は前記残りのタイムスロットを列挙することを特徴とする請求項２に記載のユーザ機器。
【請求項４】
前記識別子は前記閾値を超えるタイムスロットを列挙することを特徴とする請求項２に記載のユーザ機器。
【請求項５】
前記識別子は前記残りのタイムスロットおよび前記閾値を超えるタイムスロットを列挙することを特徴とする請求項２に記載のユーザ機器。
【請求項６】
前記識別子は、前記データフィールドの少なくとも１つの中に位置することを特徴とする請求項３に記載のユーザ機器。
【請求項７】
前記識別子は、前記ミッドアンブルの中に位置することを特徴とする請求項３に記載のユーザ機器。
【請求項８】
前記データバーストはさらに、前記ミッドアンブルの前と後に位置する２つのＴＦＣＩフィールドを含むことを特徴とする請求項２に記載のユーザ機器。
【請求項９】
前記識別子は、前記ＴＦＣＩフィールドの少なくとも１つとともに位置することを特徴とする請求項８に記載のユーザ機器。
【請求項１０】
前記コードは連続的に割り振られることを特徴とする請求項１に記載のユーザ機器。
【請求項１１】
タイムスロットおよびコードの割り振り情報をデータバースト中で伝送することにより、時分割複信方式通信フォーマットの動的リンクアダプテーションを実施するユーザ機器であって、前記データバーストは、ミッドアンブルフィールドで隔てられた２つのデータフィールドを含む複数のフィールドを有し、前記ユーザ機器は、
前記フィールドの少なくとも１つで、使用すべきタイムスロットの指示を伝送する手段と、
すべてのコードが割り当てられるまで前記使用するタイムスロットにコードを連続的な順序で割り振る手段と
を含むことを特徴とするユーザ機器。
【請求項１２】
前記指示は、前記データフィールドの少なくとも１つの中で伝送されることを特徴とする請求項１１に記載のユーザ機器。
【請求項１３】
前記指示は前記ミッドアンブルフィールドの中で伝送されることを特徴とする請求項１１に記載のユーザ機器。
【請求項１４】
前記データバーストはさらに第１および第２のＴＦＣＩフィールドを含み、前記第１のＴＦＣＩフィールドは前記ミッドアンブルフィールドの前に位置し、前記第２のＴＦＣＩフィールドは前記ミッドアンブルフィールドの後に位置し、前記指示は、前記ＴＦＣＩフィールドの少なくとも１つの中で伝送されることを特徴とする請求項１１に記載のユーザ機器。
【請求項１５】
複数の利用可能なタイムスロットのうち少なくとも１つのタイムスロットと、複数のコードのうち少なくとも１つのコードを利用して、コードおよびタイムスロットの割り当てを伝達して、時分割多重接続／符号分割多重接続ハイブリッド型の無線通信フォーマットのユーザ通信をサポートするユーザ機器であって、
各利用可能なタイムスロットについて、データを伝送するのに必要な電力を計算する手段と、
前記各タイムスロットの前記計算した電力が所定の閾値を超えるかどうかを判断する手段と、
前記所定の閾値を超えない第１のタイムスロットのセットに前記ユーザ通信をサポートする情報をロードする手段と、
前記所定の閾値を超える第２のタイムスロットのセットに符号化ビットパターンをロードする手段と、
前記第１および第２のタイムスロットのセットを別の通信装置に伝達する手段と、
前記第１のタイムスロットのセットの前記情報を使用して前記通信をサポートする手段と
を含むことを特徴とするユーザ機器。
【請求項１６】
前記ロード手段は、前記複数のコードのうち連続したコードを使用することを特徴とする請求項１５に記載のユーザ機器。
【請求項１７】
それぞれが少なくとも１つのコードをサポートすることができる複数のタイムスロットを伝送することにより、ユーザ機器と第２の装置間のユーザ通信をサポートする時分割複信方式ユーザ機器であって、複数のデータバーストを使用してタイムスロットおよびコード割り振りの情報を通信し、各データバーストは、ミッドアンブルフィールドで隔てられた２つのデータフィールドを含む複数のフィールドを有し、前記ユーザ機器は、
各タイムスロットにおける干渉の量を判定する手段と、
前記干渉量に基づいて、干渉量が最小のタイムスロットが最も高い優先順位を持つように前記タイムスロットに優先順位をつける手段と、
前記優先順位に従って、最も優先順位が高いタイムスロットに最初に割り振るようにタイムスロットにコードを割り振る手段と
を含むことを特徴とするユーザ機器。
【請求項１８】
前記割り振り手段は、各タイムスロット中で連続的にコードを割り振ることを特徴とする請求項１７に記載のユーザ機器。
【請求項１９】
コードおよびタイムスロットの割り当てを時分割複信方式通信フォーマットで伝達するユーザ機器であって、前記ユーザ機器は、複数の利用可能なタイムスロットの少なくとも１つと、各タイムスロットについての複数のコードのうち各タイムスロットにつき少なくとも１つのコードとを利用して、少なくとも第２の装置と通信し、
各利用可能なタイムスロットについてデータを伝送するのに必要な電力を計算する手段と、
前記計算した電力が閾値を超えるかどうかを判定する手段と、
前記閾値を超えるタイムスロットを前記利用可能なタイムスロットから除いて残りのタイムスロットを決定する手段と、
前記残りのタイムスロットの識別子を伝達する手段と、
前記残りのタイムスロットを使用して前記通信をサポートする手段と
を含むことを特徴とするユーザ機器。
【請求項２０】
前記少なくとも１つのコードは複数のコードを含み、前記使用手段は連続的な順序でコードを使用することを特徴とする請求項１９に記載のユーザ機器。
【請求項２１】
タイムスロットおよびコードの割り振り情報をデータバーストで伝送することにより時分割複信方式通信フォーマットで動的リンクアダプテーションを実施するユーザ機器であって、前記データバーストは、ミッドアンブルフィールドで隔てられた２つのデータフィールドを含む複数のフィールドを有し、前記ユーザ機器は、
非アクティブなタイムスロットとアクティブなタイムスロットを判定する手段と、
前記フィールドの少なくとも１つでアクティブなタイムスロットの指示を伝送する手段と、
すべてのコードが割り振られるまでアクティブなタイムスロットにコードを連続的に割り振る手段と
を含むことを特徴とするユーザ機器。
【発明の詳細な説明】
【技術分野】
【０００１】
本発明は、無線通信の分野に関する。より詳細には、本発明は、ユーザ機器（ＵＥ）と基地局（ＢＳ）との間の伝送を変化する伝播条件に適応させる動的リンクアダプテーションを使用する時分割複信方式（ＴＤＤ）通信システムに関する。
【背景技術】
【０００２】
第３世代（３Ｇ）のセルラーシステムは、ビデオやインターネットのダウンロードなどの高いデータ転送速度から、音声などの低いデータ転送速度にわたる幅広いサービスを伝送することができる。図１を参照すると、複数のユーザサービスを個々のデータストリームとして示している。これらの個々のデータストリームはトランスポートチャネルＡ、Ｂ、Ｃに割り当てられ、それによりデータストリームを符号化し、多重化する。各トランスポートチャネルＡ、Ｂ、Ｃには、特定の符号化レートと、特定の伝送時間間隔（ＴＴＩ）が割り当てられる。符号化レートは、物理層の伝送されるビット数を決定し、ＴＴＩは、伝送されるデータブロックの伝達時間を定義する。例えば、ＴＴＩは、１０ｍｓ、２０ｍｓ、４０ｍｓ、あるいは８０ｍｓである。
【０００３】
複数のトランスポートチャネルＡ、Ｂ、Ｃを共に多重化して、符号化コンポジットトランスポートチャネル（ＣＣＴｒＣｈ）とする。ＣＣＴｒＣｈは複数のトランスポートチャネルＡ、Ｂ、Ｃからなるので、複数の異なる符号化レートと異なるＴＴＩを有する可能性がある。
【０００４】
例えば、トランスポートチャネルＡのＴＴＩは２０ｍｓで、トランスポートチャネルＢのＴＴＩは４０ｍｓである場合がある。そのため、最初の２０ｍｓにおけるトランスポートチャネルＡのフォーマッティングと、２番目の２０ｍｓにおけるトランスポートチャネルＡのフォーマッティングが変わる可能性がある。これに対し、トランスポートチャネルＢのＴＴＩは４０ｍｓなので、フォーマッティングおよびしたがってビット数は、４０ｍｓのＴＴＩ継続時間にわたり各２０ｍｓの期間で同じである。トランスポートチャネルＡ、Ｂ、Ｃはすべて、ＣＣＴｒＣｈ中で最小のＴＴＩを使用して、ＴＴＩ単位でＣＣＴｒＣｈにマッピングされることに留意することは重要である。送信電力は、最終的には、ＣＣＴｒＣｈ中の最小のＴＴＩで適用されるトランスポートフォーマットコンビネーションに基づいて決まる。
【０００５】
当業者は、各個々のデータストリームは関連付けられたデータ転送速度を有し、各物理チャネルは関連付けられたデータ転送速度を有することに気づくべきである。それらのデータ転送速度は互いに関連するが、それらは明確に異なるデータ転送速度である。
【０００６】
ＣＣＴｒＣｈ中で最小のＴＴＩが確定すると、伝送するデータのビット数と、所与のＴＴＩでサポートされるトランスポートチャネルを決定しなければならない。これは、データのフォーマッティングによって決定される。
【０００７】
最小のＴＴＩに基づいて、各ＣＣＴｒＣｈにトランスポートフォーマットコンビネーション（ＴＦＣ）を適用する。これは基本的に、各トランスポートチャネルについて、所与のＴＴＩに伝送されるデータ量と、そのＴＴＩに同時に存在するトランスポートチャネルを指定する。
【０００８】
ＴＦＣセットは、可能性のあるすべてのＴＦＣのセットである。ＴＦＣセット中の可能性のあるすべてのＴＦＣがＵＥによってサポートされ得ない伝播条件である場合は、ＵＥによってサポートされるＴＦＣの縮小したセットが作成される。この縮小したセットをＴＦＣサブセットと呼ぶ。ＴＦＣ選択は、各トランスポートチャネルＡ、Ｂ、ＣについてＣＣＴｒＣｈにマッピングするデータとデータ量を決定するのに使用されるプロセスである。トランスポートフォーマットコンビネーションインジケータ（ＴＦＣＩ）は、特定のＴＦＣのインジケータであり、受信器に送信されて、現在のフレームにアクティブなトランスポートチャネルを受信器に知らせる。受信器は、ＴＦＣＩの受信に基づいて、使用されている物理チャネルとタイムスロットを解釈することができる。したがって、ＴＦＣＩは、送信器と受信器間との間の調整を提供する手段であり、受信器はどの物理トランスポートチャネルが使用されているかを知ることができる。
【０００９】
ＴＤＤでは典型的に、ＵＥは、基地局から受信する信号対干渉比（ＳＩＲ）の目標値に基づいて、必要とされる送信電力を計算する。ＵＥは、選択されたＴＦＣを知って、必要な送信電力を計算する。ＲＦの伝播条件が最適である場合には、各タイムスロット内で最大数のビットが伝送されるようにＴＦＣが選択される。しかし、ＲＦの伝播条件が悪化し、望まれたすべての情報を伝送するためにＵＥが計算した必要な電力がそのＵＥに許容される最大の電力より高い場合は、そのＵＥに許容される最大の電力でサポートできる別のＴＦＣのセット（すなわち前述のＴＦＣサブセット）を選択しなければならない。これにより、最終的には、物理層がサポートしなければならないデータ量が減り、電力要件が低減する。
【００１０】
要約すると、システムは、ＴＴＩに基づいて、アクティブになるトランスポートチャネルと、各トランスポートチャネルで伝送するデータ量を選択する。ＴＦＣの選択プロセスでは、物理的な伝送の問題点（その１つが許容される最大の電力である）を考慮に入れ、いくらかの継続時間にわたって物理的な伝送の要件を軽減する。
【００１１】
複数のトランスポートチャネルＡ、Ｂ、Ｃを組み合わせて１つのＣＣＴｒＣｈにすると、ＣＣＴｒＣｈを分割してセグメントにし、そのセグメントをいくつかの物理チャネルに別々にマッピングする。ＴＴＤシステムでは、物理チャネルは、異なるタイムスロットの１つまたは複数に存在することができ、タイムスロット毎に複数の異なるコードを利用することができる。ダウンリンクの１タイムスロットには１６個もの可能なコードがあるが、特定のダウンリンクの特定のタイムスロットには例えば８個のコードがあるのがより一般的である。アップリンクでは、特定のタイムスロットに２つより多くのコードがあることは滅多にない。いずれにせよ、複数のタイムスロットに複数のコードによって定義されるいくつかの物理チャネルがある。物理チャネルの数は異なることがある。
【００１２】
Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）の時分割複信方式（ＴＤＤ）モードでは、タイムスロットとコードを連続した順序で割り当てることによりＣＣＴｒＣｈを物理チャネルにマッピングする。例えば、最初のタイムスロットをマッピングのために選択する。最初のタイムスロットの最初のコードが初めに割り当てられ、次いで、最初のタイムスロットの残りのコードがそれぞれ連続的に割り当てられて行き最後のコードまで割り当てられる。最初のタイムスロットのコードがすべて割り当てられると、２番目のタイムスロットに入る。２番目のタイムスロットの各コードを連続的に使用して、すべてのコードが割り当てられるまでこのマッピングプロセスを繰り返す。
【００１３】
ＵＭＴＳにおける特定のユーザ機器（ＵＥ）についてのこのマッピングプロセスを図２Ａの例に示し、同図では１２個のタイムスロット（Ｓ１〜Ｓ１２）があり、各タイムスロットに８つのコード（０〜７）があり、合計１２個のコード（Ａ１〜Ａ１２）が割り振られる／設定される。説明のために、図に「斜線」で示すコードおよびタイムスロットは、現在のＵＥに割り振ることができない（例えば他のＵＥに割り振られているため）と考える。タイムスロットＳ４〜Ｓ７からなる割り振りが可能な部分は、タイムスロットＳ４から連続した順序で割り当てられ、各タイムスロットのコード０〜４も連続した順序で割り当てられる。そのようにして１２個のコードをマッピングすると想定すると、その結果図２Ａに示すマッピングが得られ、コードＡ１が最初に割り当てられ、コードＡ１２が最後に割り当てられる。
【発明の開示】
【発明が解決しようとする課題】
【００１４】
図２Ａに示す従来技術のプロセスは、ＣＣＴｒＣｈからのデータを物理チャネルにマッピングする選択肢の１つを提供するが、このプロセスには、例えば要求される送信電力がＵＥの許容可能な最大電力を超える場合など、１つのタイムスロットで伝送の問題が生じる場合に、いくつかの欠点がある。ＵＭＴＳ−ＴＤＤ標準に規定されるような、ＣＣＴｒＣｈを物理チャネルにマッピングするための連続的なタイムスロットおよびコードの割り当てのプロセスは、伝送問題が発生した時に問題が実際以上に増大される傾向がある。例示として、タイムスロットが割り振られる／設定される連続的な方式のために、伝送問題が発生する場合には通例最初の方のタイムスロットの１つまたはいくつかで発生する。例えば、あるＴＴＩについて要求される送信電力がＵＥの許容され得る最大の電力を超える場合に、システムが問題を検出すると、システムは、すべてのタイムスロットに対するデータ要求を減らすように新しいＴＦＣを選択する。ＵＭＴＳ−ＴＤＤ標準ではタイムスロットを連続的に割り当てることが規定されているので、伝送問題が最初のいくつかのタイムスロットの１つで生じている場合、システムは、今まで通り最初の方のタイムスロットへのデータのパッキングを開始し、それらのタイムスロットでは問題が最悪の状態になり、最後の方のタイムスロットは比較的空の状態にしておくので、そこでは伝送問題は生じない。
【００１５】
その結果、問題のないタイムスロットに対するデータ転送速度要求を低くし、問題のあるタイムスロットには今まで通りデータをパックするので、システムは問題を悪化させる。この無線リソースの利用法は非効率的である。
【課題を解決するための手段】
【００１６】
本発明は、現在アクティブであるタイムスロットとコードおよび回避すべきタイムスロットを受信器に通知するための制御情報を追加または変化させることにより、動的リンクアダプテーションを実現するＴＴＤ  ＵＥである。したがって、このＵＥは、ＵＥがＣＣＴｒＣｈを物理チャネルにマッピングするのに使用したタイムスロットとコードを受信器が知るように同期を提供する。ＵＥは、伝送の障害を経験したタイムスロットを避けることを試み、一方で伝送の障害が生じていないタイムスロットを利用することを試みる。
【発明を実施するための最良の形態】
【００１７】
本発明について図面を参照して説明するが、すべての図面を通じて同様の要素は同様の参照符号で表す。
【００１８】
図２Ｂを参照すると、従来技術のデータバーストを示している。このデータバーストは、ミッドアンブルによって隔てられた２つのデータフィールドを備え、その後にガード期間（ＧＰ）が続く。ＴＦＣＩは、このバーストのデータフィールドの１つまたは両方で送信される。符号化されたＴＦＣＩビットの数は、サポートされた可能なＴＦＣの数に依存する。ＴＦＣＩはデータフィールド内で伝送されるので、ＴＦＣＩを伝送するのに必要な各ビットは、ユーザデータビットの数を減らす。したがって、ＴＦＣＩビットの数を制限することが望ましい。
【００１９】
ミッドアンブルからの干渉は相殺することができ、チャネル推定はミッドアンブルに隣接するビットについて最も信頼できるので、ミッドアンブルに隣接するＴＦＣＩの位置は、最良の可能な伝送を考慮する。当業者には理解されるように、これらのデータフィールドはユーザデータフィールドと物理制御フィールドの両方を含むが、それらのフィールドについてはこれ以上詳しくは説明しない。
【００２０】
本発明は、動的リンクアダプテーションを行うための６つの異なる実施形態を備える。図３Ａ〜３Ｅに示す第１の実施形態は、データバーストに新しい制御フィールドを追加して、アクティブである特定のタイムスロットと回避すべきタイムスロットを指示することを含む。例えば図３Ａに示すように、データフィールド１に制御フィールドを追加する。図３Ｂは、データフィールド２に追加された制御フィールドを示す。あるいは、図３Ｃには、ミッドアンブルの一部である制御フィールドを示す。図３Ｄは、データフィールド１およびデータフィールド２の両方に追加された制御フィールドを示す。これらの制御フィールドはデータフィールド内の特定の位置に示しているが、データフィールドのどの部分に配置してもよい。
【００２１】
図３Ａ〜３Ｄに示す代替形態のいずれでも、制御フィールドが、受信器が有効なデータを探すべきタイムスロットを識別していることに注目することが重要である。制御フィールド内のデータは、有効なデータを含む「アクティブな」タイムスロットを指しても、無効なデータを含み、回避すべき「非アクティブな」タイムスロット（以下「非アクティブな」タイムスロットという）を含んでも、あるいは、アクティブなタイムスロットと非アクティブなタイムスロットの両方を含んでもよい。アクティブまたは非アクティブなタイムスロットは個々に識別されることができ、または、識別子はビットストリングを含み、１がアクティブなタイムスロットを表し、０が非アクティブなタイムスロットを表してもよい。また、制御フィールドは、別々に区切られた制御フィールドからなっても、あるいは単にデータフィールドの一部に存在してもよいことにも留意されたい。
【００２２】
図３Ｅを参照すると、第１の実施形態の方法を使用したタイムスロットの割り振り／設定が示されている。この例では、図３Ａ〜３Ｄに示す制御フィールドは、タイムスロットＳ４、Ｓ６、Ｓ７がアクティブであり、Ｓ５が非アクティブであることを示すものとする。したがって、タイムスロットＳ５は使用されず、コードＡ１〜Ａ１２はタイムスロットＳ４、Ｓ６、およびＳ７に割り振られる／設定される。これにより、システムは、ＵＥの出力電力を著しく増大しなければ通信を十分にサポートしない、この例のタイムスロットＳ５のような「問題のある」タイムスロットを回避することができる。
【００２３】
図４Ａ〜４Ｄに本発明の第２の実施形態を示す。この実施形態では、どのタイムスロットがアクティブでありどのタイムスロットが非アクティブであるかに関する特別のデータを含むようにＴＦＣＩフィールドの１つまたは両方を拡張および／または変更している。図４Ａは、特別のデータを含むために第１のＴＦＣＩフィールドを拡張および／または変更した場合を示し、図４Ｂは、同様に第２のＴＦＣＩフィールドを拡張および／または変更した場合を示し、図４Ｃは、同様に両方のＴＦＣＩフィールドを拡張および／または変更した場合を示す。
【００２４】
図４Ｄを参照すると、第２の実施形態の方法を使用したタイムスロットの割り振り／設定が示されている。この例では、図４Ａ〜４Ｃに示す制御フィールドは、タイムスロットＳ６が非アクティブであり、タイムスロットＳ４、Ｓ５およびＳ７がアクティブであることを示すものとする。したがって、タイムスロットＳ６を回避し、タイムスロットＳ４、Ｓ５およびＳ７にコードが連続的な順序で割り当てられ／設定されるように、コードは割り当てられ／設定される。タイムスロットＳ４が最初に埋まり、次いでタイムスロットＳ５とＳ７が順次埋まる。
【００２５】
図５Ａ〜５Ｆに第３の実施形態を示す。この実施形態では、例えば図５Ａに示すデータフィールド１、図５Ｂに示すデータフィールド２、または図５Ｃに示すミッドアンブルなど、データバースト中のデータフィールドまたはミッドアンブルの１つまたは両方に、特別の符号化ビットパターンが追加される。データバースト中にこの特別の符号化ビットパターンを含めることにより、送信器は、それらが非アクティブなタイムスロットであり、回避されるべきことを指示する。受信器がデータバースト中のこの特別の符号化ビットパターンを検出すると、そのタイムスロットに関連付けられた情報を破棄するか、あるいはそうでなければ無視する。
【００２６】
図５Ｄ〜５Ｆは、データバーストがＴＦＣＩフィールドを含まない点を除いては図５Ａ〜５Ｃと同様である。図５Ｄに示すように、符号化ビットパターンは、データフィールド１中のどの位置に含めてもよい。あるいは、図５Ｅに示すように、符号化ビットパターンは、データフィールド２内に配置しても、あるいは図５Ｆに示すようにミッドアンブル中に配置してもよい。データフィールド１またはデータフィールド２中に位置する符号化ビットパターンは、ミッドアンブルの近くに配置することが好ましいが、これは、この実施形態でも他の実施形態でも必須ではない。また、符号化ビットパターンは、図５Ａ〜５Ｄおよび５Ｆに示すように最小限の大きさにしても、図５Ｅに示すようにデータフィールドの大半またはすべてを含んでもよい。
【００２７】
ビットパターンの長さは、より低い電力で受信できるように高利得の符号化方式を使用できるような長さである。したがって、例えば２５６チップのシーケンスを使用する場合は、１６の拡散率と比べて電力要件が１２ｄＢ低下する。代替法の１つでは、チャネル推定を必要としない近似同期（Ｇｏｌａｙ）シーケンスを使用することができる。
【００２８】
図５Ｇに、第３の実施形態の方法を使用したタイムスロットの割り振り／設定を示す。この例では、図５Ｆに示すデータバーストは、タイムスロットＳ６が非アクティブとして指示されていることを示すものとする。したがって、タイムスロットＳ６に関連付けられたデータバーストは、特別の符号化ビットパターンを含む。その結果、タイムスロットＳ４、Ｓ５、およびＳ７が連続的に割り振られ／設定され、タイムスロットＳ６が回避される。
【００２９】
本発明の第４の実施形態は、すべてのアクティブなタイムスロットを干渉が少ない順にランク付けし、その干渉レベルに基づいてチャネルの割り当て／設定がなされる。
【００３０】
好ましくは、送信器は、周期的に各タイムスロットの干渉量について干渉測定を行い、その情報を受信器に送信する。干渉レベルに基づいてタイムスロットをランク付けすると、干渉が最小であるタイムスロットが最初に埋められ、干渉が最悪のタイムスロットが最後に埋められる。この干渉の情報またはランクは、図６Ａに示すデータフィールド１、図６Ｂに示すデータフィールド２、または図６Ｃに示すミッドアンブルなど、データバーストのフィールドまたは作成される新しいフィールドの１つで送信器から受信器に送信されることができる。
【００３１】
タイムスロットをランク付けするために使用される測定値は、３ＧシステムにおいてＲＮＣ、ＲＮＳ、およびノードＢの間でシグナルされるチャネル品質ＣＱの測定値など、当業者によく知られるものである。ノードＢは、肯定の応答を備えたより上位レイヤのシグナリングを使用して、チャネル割り当て／設定を優先させることもできる。
【００３２】
図６Ｄに、第４の実施形態の方法を使用したタイムスロットの割り振り／設定を示す。この例では、タイムスロットＳ６の干渉量が最小であり、タイムスロットＳ５の干渉が２番目に小さく、タイムスロットＳ７の干渉が３番目に小さく、タイムスロットＳ４が最大の干渉を有するものとする。したがって、図６Ｄに示すようにタイムスロットはＳ６、Ｓ５、Ｓ７、Ｓ４の順序で埋められる。
【００３３】
本発明による第５の実施形態は、すべてのタイムスロットにわたる均等なデータ分散を生成する。図７Ａを参照すると、この実施形態では、あるＴＦＣを選択し、対応するＴＦＣＩをＴＦＣＩフィールドで送信し、それにより、問題のあるタイムスロットがデータ伝送をサポートできる程度まで、すべてのタイムスロットにわたってデータ転送速度を均等に下げる。伝送されるＴＦＣＩが従来技術と同じなので、この実施形態は最も単純な解決法である。ただし、このシステムは、データがすべてのタイムスロットに均等に分散されるようにタイムスロットおよびコードを割り振る／設定する。
【００３４】
第５の実施形態の方法の結果、図７Ｂに示すようにタイムスロットが割り振られる／設定される。図に示すように、データがすべてのタイムスロットに均等に分散するようにコードが割り振られている。この実施形態には、すべてのタイムスロットがアクティブなので、アクティブまたは非アクティブなタイムスロットの通知を行うために新しいフィールドが必要とされず、送信器と受信器間で同期を行わなくてよいという追加的な利点がある。
【００３５】
図８Ａに示す本発明による第６の実施形態では、非アクティブなスロットとそれに続くすべてのタイムスロットはどの情報の送信にも使用されない。ＴＦＣＩを使用して使用すべきタイムスロットを伝達する。ただし、タイムスロットＳ５などあるタイムスロットで許容される最大の電力を上回るとＵＥが計算すると、そのタイムスロットとその後のすべてのタイムスロットは使用されない。
【００３６】
第６の実施形態の結果、図８Ｂに示すようにコードが割り振られ／設定される。この例では、タイムスロットＳ５が非アクティブなタイムスロットであるとされている。したがって、問題のあるタイムスロットとその後のすべてのタイムスロットを破棄するので、タイムスロットＳ４だけが使用され、コードＡ１〜Ａ５だけが割り振され／設定される。
【００３７】
この実施形態の代替形態では、容量は劣るが非アクティブなスロットをなお使用することができる。図８Ｃに示すように、そのタイムスロットには割り当てるコードを少なくして、そのタイムスロットへの負荷を軽減することができる。
【００３８】
本発明の様々な実施形態の要約を下の表１に示す。
【００３９】
【表１】
2004538715.tif 000003
【００４０】
本発明を実施する際の１つの欠点は、ＴＦＣＩと、アクティブおよび非アクティブなタイムスロットについての制御情報（以下「タイムスロット情報」）の配置であることに留意されたい。典型的に、ＴＦＣＩは決まったタイムスロットにしか存在しないので、５つのタイムスロットを使用するが、ＴＦＣＩおよび／またはタイムスロット情報を持つのはタイムスロットＳ２のみ、またはタイムスロット１および４のみであることを指示する通信を行うことができる。ＴＦＣＩおよびタイムスロット情報は、データの処理中に送信器と受信器を同期するのに必要とされる。ただし、ＴＦＣＩまたはタイムスロット情報を有する唯一のタイムスロットが、許容される最大の送信電力を超えるタイムスロットになる事例が生じる可能性がある。
【００４１】
図３Ａ〜６Ｄを参照して述べた本発明の最初の４つの実施形態では、ＴＦＣＩまたはタイムスロット情報が非アクティブと指示されているタイムスロットにしかない場合は、通信は失敗する。
【００４２】
この問題の解決法の１つは、ＴＦＣＩおよびタイムスロット情報を少なくとも２つのタイムスロットに配置することで、データ消失がより重要な考慮事項である場合には、潜在的に使用されるタイムスロットのすべてに配置することである。これにより、受信器がタイムスロットを受信すれば、ＴＦＣＩおよびタイムスロット情報も受信することを確実にする。
【００４３】
図７Ａ〜８Ｃに示し、同図を参照して説明した第５および第６の実施形態では、このＴＦＣＩの問題が存在しない。第５の実施形態の場合、データ転送速度は低下するが、すべてのタイムスロットをなお使用し、ＴＦＣＩおよびタイムスロット情報を常に入手することができる。第６の実施形態は、常に最初のタイムスロットにＴＦＣＩおよびタイムスロット情報を含む。
【００４４】
本発明についてアップリンクを参照して説明したが、本発明はダウンリンクにも等しく適用することができ、アップリンクおよびダウンリンクの両方でここに記載する実施形態の技術を利用することは、本発明の範囲内であることがここに企図されている。
【００４５】
本発明について好ましい実施形態に即して説明したが、当業者には特許請求の範囲に記載された本発明の範囲内にある他の変形形態が明らかであろう。
【図面の簡単な説明】
【００４６】
【図１】１つの物理チャネルに組み合わせられる個々のデータストリームのブロック図である。
【図２Ａ】従来技術の符号マッピングプロセスの結果の図である。
【図２Ｂ】従来技術のデータバーストの図である。
【図３Ａ】データフィールド１内に配置された制御フィールドを有する第１の実施形態のデータバースト構造の図である。
【図３Ｂ】データフィールド２内に配置された制御フィールドを有する第１の実施形態のデータバースト構造の図である。
【図３Ｃ】ミッドアンブル内に配置された制御フィールドを有する第１の実施形態のデータバースト構造の図である。
【図３Ｄ】両方のデータフィールド内に配置された制御フィールドを有する第１の実施形態のデータバースト構造の図である。
【図３Ｅ】第１の実施形態における例示的なタイムスロットの割り振り／設定の図である。
【図４Ａ】第１のＴＦＣＩフィールドを変更した第２の実施形態のデータバースト構造の図である。
【図４Ｂ】第２のＴＦＣＩフィールドを変更した第２の実施形態のデータバースト構造の図である。
【図４Ｃ】両方のＴＦＣＩフィールドを変更した第２の実施形態のデータバースト構造の図である。
【図４Ｄ】第２の実施形態における例示的なタイムスロットの割り振り／設定の図である。
【図５Ａ】データフィールド１内に符号化ビットパターンを有する第３の実施形態のデータバースト構造の図である。
【図５Ｂ】データフィールド２内に符号化ビットパターンを有する第３の実施形態のデータバースト構造の図である。
【図５Ｃ】ミッドアンブル内に符号化ビットパターンを有する第３の実施形態のデータバースト構造の図である。
【図５Ｄ】ＴＦＣＩフィールドがなく、データフィールド１内に符号化ビットパターンを有する第３の実施形態のデータバースト構造の図である。
【図５Ｅ】ＴＦＣＩフィールドがなく、データフィールド２内に符号化ビットパターンを有する第３の実施形態のデータバースト構造の図である。
【図５Ｆ】ＴＦＣＩフィールドがなく、ミッドアンブル内に符号化ビットパターンを有する第３の実施形態のデータバースト構造の図である。
【図５Ｇ】第３の実施形態における例示的なタイムスロットの割り振り／設定の図である。
【図６Ａ】データフィールド１内に配置された干渉情報フィールドを有する第４の実施形態のデータバースト構造の図である。
【図６Ｂ】データフィールド２内に配置された干渉情報フィールドを有する第４の実施形態のデータバースト構造の図である。
【図６Ｃ】ミッドアンブル内に配置された干渉情報フィールドを有する第４の実施形態のデータバースト構造の図である。
【図６Ｄ】第４の実施形態における例示的なタイムスロットの割り振り／設定の図である。
【図７Ａ】第５の実施形態のデータバースト構造の図である。
【図７Ｂ】第５の実施形態における例示的なタイムスロットの割り振り／設定の図である。
【図８Ａ】第６の実施形態のデータバースト構造の図である。
【図８Ｂ】第６の実施形態における例示的なタイムスロットの割り振り／設定の図である。
【図８Ｃ】第５の実施形態の代替実施形態における例示的なタイムスロットの割り振り／設定の図である。
【図１】
2004538715.tif 000004
【図２Ａ】
2004538715.tif 000005
【図２Ｂ】
2004538715.tif 000006
【図３Ａ】
2004538715.tif 000007
【図３Ｂ】
2004538715.tif 000008
【図３Ｃ】
2004538715.tif 000009
【図３Ｄ】
2004538715.tif 000010
【図３Ｅ】
2004538715.tif 000011
【図４Ａ】
2004538715.tif 000012
【図４Ｂ】
2004538715.tif 000013
【図４Ｃ】
2004538715.tif 000014
【図４Ｄ】
2004538715.tif 000015
【図５Ａ】
2004538715.tif 000016
【図５Ｂ】
2004538715.tif 000017
【図５Ｃ】
2004538715.tif 000018
【図５Ｄ】
2004538715.tif 000019
【図５Ｅ】
2004538715.tif 000020
【図５Ｆ】
2004538715.tif 000021
【図５Ｇ】
2004538715.tif 000022
【図６Ａ】
2004538715.tif 000023
【図６Ｂ】
2004538715.tif 000024
【図６Ｃ】
2004538715.tif 000025
【図６Ｄ】
2004538715.tif 000026
【図７Ａ】
2004538715.tif 000027
【図７Ｂ】
2004538715.tif 000028
【図８Ａ】
2004538715.tif 000029
【図８Ｂ】
2004538715.tif 000030
【図８Ｃ】
2004538715.tif 000031
【国際公開パンフレット】
2004538715.tif 000032
2004538715.tif 000033
2004538715.tif 000034
2004538715.tif 000035
2004538715.tif 000036
2004538715.tif 000037
2004538715.tif 000038
2004538715.tif 000039
2004538715.tif 000040
2004538715.tif 000041
2004538715.tif 000042
2004538715.tif 000043
2004538715.tif 000044
2004538715.tif 000045
2004538715.tif 000046
2004538715.tif 000047
2004538715.tif 000048
2004538715.tif 000049
2004538715.tif 000050
2004538715.tif 000051
2004538715.tif 000052
2004538715.tif 000053
2004538715.tif 000054
2004538715.tif 000055
2004538715.tif 000056
2004538715.tif 000057
【国際調査報告】
2004538715.tif 000058